【手続補正書】
【提出日】平成20年1月11日(2008.1.11)
【手続補正１】
【補正対象書類名】明細書
【補正対象項目名】００４４
【補正方法】変更
【補正の内容】
【００４４】
〈ブラックインクＡ−１：本発明インク〉
Ｃ．Ｉ．ダイレクトイエロー８６                            ３質量部
Ｃ．Ｉ．リアクティブレッド１８０                      ２．６質量部
Ｃ．Ｉ．ダイレクトブルー１９９                        ２．５質量部
エチレングリコール                                      ２４質量部
プロピレングリコール                                    ２２質量部
オルフィンＥ１０１０（日信化学社製）                  ０．１質量部
プロキセルＧＸＬ（ゼネカ社製）                        ０．２質量部
プリベントールＣＭＫ（バイエル社製）                  ０．２質量部
イオン交換水                                        ４５．４質量部
〈ブラックインクＡ−２：本発明インク〉
Ｃ．Ｉ．ダイレクトイエロー８６                            ３質量部
Ｃ．Ｉ．リアクティブレッド１８０                      ２．６質量部
Ｃ．Ｉ．ダイレクトブルー１９９                        ２．５質量部
エチレングリコール                                      １０質量部
１，３−プロパンジオール                                ２５質量部
オルフィンＥ１０１０                                  ０．１質量部
プロキセルＧＸＬ                                      ０．２質量部
プリベントールＣＭＫ                                  ０．２質量部
イオン交換水                                        ５６．４質量部
〈ブラックインクＡ−３：本発明インク〉
Ｃ．Ｉ．アシッドイエロー７９                              ６質量部
Ｃ．Ｉ．アシッドレッド２４９                              ２質量部
Ｃ．Ｉ．ダイレクトブルー１９９                        ２．５質量部
プロピレングリコール                                    ２０質量部
オルフィンＥ１０１０                                  ０．１質量部
プロキセルＧＸＬ                                      ０．１質量部
イオン交換水                                        ６９．３質量部
〈ブラックインクＡ−４：本発明インク〉
Ｃ．Ｉ．ダイレクトイエロー１３２                          ３質量部
Ｃ．Ｉ．アシッドレッド１                                  ２質量部
Ｃ．Ｉ．アシッドブルー２４９                          ２．５質量部
エチレングリコール                                      ４０質量部
プロキセルＧＸＬ                                      ０．１質量部
イオン交換水                                        ５２．４質量部
〈ブラックインクＡ−５：本発明インク〉
Ｃ．Ｉ．ダイレクトイエロー８６                            ３質量部
Ｃ．Ｉ．リアクティブレッド１８０                      ２．６質量部
Ｃ．Ｉ．ダイレクトブルー１９９                        ２．５質量部
エチレングリコール                                      ２４質量部
プロピレングリコール                                    １０質量部
１，２−ヘキサンジオール                                  ５質量部
イオン交換水                                        ５２．９質量部
〈ブラックインクＡ−６：本発明インク〉
Ｃ．Ｉ．ダイレクトイエロー８６                            ３質量部
Ｃ．Ｉ．リアクティブレッド１８０                      ２．６質量部
Ｃ．Ｉ．ダイレクトブルー１９９                        ２．５質量部
エチレングリコール                                      ２４質量部
１，３−プロパンジオール                                １０質量部
１，２−ペンタンジオール                                  ５質量部
プロキセルＧＸＬ                                      ０．１質量部
イオン交換水                                        ５２．８質量部
〈ブラックインクＡ−７：本発明インク〉
Ｃ．Ｉ．アシッドイエロー７９                              ６質量部
Ｃ．Ｉ．アシッドレッド２４９                              ２質量部
Ｃ．Ｉ．ダイレクトブルー１９９                        ２．５質量部
エチレングリコール                                      ２４質量部
１，３−ブタンジオール                                  １０質量部
２−メチル−２，４−ペンタンジオール                    １０質量部
プロキセルＧＸＬ                                      ０．１質量部
イオン交換水                                        ４５．４質量部
〈ブラックインクＡ−８：本発明インク〉
Ｃ．Ｉ．ダイレクトイエロー８６                            ３質量部
Ｃ．Ｉ．リアクティブレッド１８０                      ２．６質量部
Ｃ．Ｉ．ダイレクトブルー１９９                        ２．５質量部
エチレングリコール                                      ２４質量部
プロピレングリコール                                    １２質量部
２−メチル−２，４−ペンタンジオール                    １０質量部
オルフィンＥ１０１０                                ０．０５質量部
プロキセルＧＸＬ                                      ０．１質量部
イオン交換水                                      ４５．７５質量部
〈ブラックインクＡ−９：本発明インク〉
Ｃ．Ｉ．ダイレクトイエロー８６                            ３質量部
Ｃ．Ｉ．リアクティブレッド１８０                      ２．６質量部
Ｃ．Ｉ．アシッドブルー２４９                          ２．５質量部
エチレングリコール                                      ２５質量部
ジエチレングリコール                                    ２０質量部
プロキセルＧＸＬ                                      ０．１質量部
イオン交換水                                        ４６．８質量部
〈ブラックインクＡ−１０：本発明インク〉
Ｃ．Ｉ．ダイレクトイエロー１３２                          ３質量部
Ｃ．Ｉ．リアクティブレッド１８０                      ２．６質量部
Ｃ．Ｉ．ダイレクトブルー１９９                        ２．５質量部
エチレングリコール                                      １４質量部
プロピレングリコール                                    １４質量部
グリセリン                                              ２０質量部
プロキセルＧＸＬ                                      ０．１質量部
イオン交換水                                        ４３．８質量部
〈ブラックインクＡ−１１：比較インク〉
Ｃ．Ｉ．ダイレクトイエロー８６                            ３質量部
Ｃ．Ｉ．リアクティブレッド１８０                      ２．６質量部
Ｃ．Ｉ．ダイレクトブルー１９９                        ２．５質量部
グリセリン                                              １０質量部
ジエチレングリコール                                    ３０質量部
プロキセルＧＸＬ                                      ０．１質量部
イオン交換水                                        ５１．８質量部
〈ブラックインクＡ−１２：比較インク〉
Ｃ．Ｉ．ダイレクトイエロー１３２                          ３質量部
Ｃ．Ｉ．アシッドレッド２４９                              ２質量部
Ｃ．Ｉ．アシッドブルー９                              ２．５質量部
エチレングリコール                                      １０質量部
ジエチレングリコール                                    ３０質量部
グリセリン                                                ５質量部
イオン交換水                                        ４７．５質量部
〈ブラックインクＡ−１３：比較インク〉
Ｃ．Ｉ．ダイレクトイエロー１３２                          ３質量部
Ｃ．Ｉ．リアクティブレッド１８０                      ２．６質量部
Ｃ．Ｉ．アシッドブルー２５                            ２．５質量部
エチレングリコール                                      ２４質量部
プロピレングリコール                                    ２２質量部
プロキセルＧＸＬ                                      ０．１質量部
イオン交換水                                        ４５．８質量部
〈ブラックインクＡ−１４：比較インク〉
Ｃ．Ｉ．ダイレクトイエロー１３２                          ３質量部
Ｃ．Ｉ．アシッドレッド２４９                              ２質量部
Ｃ．Ｉ．ダイレクトブルー１９９                        ２．５質量部
エチレングリコール                                      １０質量部
ジエチレングリコール                                    ３０質量部
グリセリン                                                ５質量部
イオン交換水                                        ４７．５質量部
（ブルーインクの調製）
以下に示す組成からなるブルーインクＢ−１〜Ｂ−５を調製した。
【手続補正２】
【補正対象書類名】明細書
【補正対象項目名】００５４
【補正方法】変更
【補正の内容】
【００５４】
【表１】
2002220555.tif 000001